(57)【特許請求の範囲】
【請求項１】
固定金具と水平可動金具の間に挿入され、上記固定金具に固定される水平調整金具と、上記水平可動金具と上記水平調整金具に接続されており、カメラの画角調整時に回されると、上記水平可動金具を水平方向に回動させる第１のターンバックルと、上記水平可動金具に設けられた第1の長穴と、上記水平調整金具に設けられた第２の長穴と、第1及び第2の長穴を貫通し、上記固定金具にネジ止めされる第1のネジと、上記カメラを保持しているカメラマウントが取り付けられている垂直可動金具と、上記水平可動金具と上記垂直可動金具の間に挿入され、上記水平可動金具に固定される垂直調整金具と、上記垂直調整金具に設けられた第３の長穴と、上記垂直可動金具に設けられた第４の長穴と、第３及び第４の長穴を貫通し、上記水平可動金具にネジ止めされる第2のネジと、上記垂直可動金具と上記垂直調整金具に接続されており、上記カメラの画角調整時に回されると、上記垂直可動金具を垂直方向に回動させる第２のターンバックルと、を備えたカメラ取付装置。
【請求項２】
垂直可動金具とカメラマウントの間に挿入され、上記垂直可動金具に固定される光軸調整金具と、上記光軸調整金具と上記カメラマウントに接続されており、上記カメラの画角調整時に回されると、上記カメラマウントを光軸方向に回動させる第３のターンバックルとを設けたことを特徴とする請求項１記載のカメラ取付装置。
【発明の詳細な説明】
【技術分野】
【０００１】
この発明は、カメラの画角を調整することが可能なカメラ取付装置に関するものである。
【背景技術】
【０００２】
例えば、以下の特許文献１に開示されている従来のカメラ取付装置は、概ね、下記の部材から構成されている。
・設置場所にネジ止めされている固定金具
・監視カメラが取り付けられており、軸を中心に垂直方向に回動する可動金具
・可動金具の回動を固定するネジ
【０００３】
カメラ取付装置に取り付けられるカメラの画角を調整する場合、固定金具を設置場所に固定しているネジと、可動金具の回動を固定しているネジとを緩めることにより、カメラ又はカメラ取付装置の全体を直接動かして、カメラの方向を変える。
なお、固定金具に形成されているネジ挿入穴や、可動金具に形成されているネジ挿入穴が円弧状の長穴になっているため、これらのネジ挿入穴の範囲内で水平方向及び垂直方向にカメラを回動して、位置調整を行うことができる。
【０００４】
【特許文献１】特開平２−３０５０７５号公報（第２頁、図８）
【発明の開示】
【発明が解決しようとする課題】
【０００５】
従来のカメラ取付装置は以上のように構成されているので、固定金具を設置場所に固定しているネジや、可動金具の回動を固定しているネジを緩めれば、カメラの方向を変えることができる。しかし、このような調整方法では、カメラの位置が不安定な状態になるため、カメラの倍率が高い場合、カメラの位置決めが困難になる課題があった。
また、不安定な位置決めを避けるために、ギアを用いてカメラの位置を決める微調整機構を設けた構成にすると、カメラの画角を大きく変更する場合に時間がかかるなどの課題があった。
【０００６】
この発明は上記のような課題を解決するためになされたもので、カメラの位置が安定している状態で、カメラの画角を微調整することができるとともに、短時間でカメラの画角を大きく変更することができるカメラ取付装置を得ることを目的とする。
【課題を解決するための手段】
【０００７】
この発明に係るカメラ取付装置は、固定金具と水平可動金具の間に挿入され、上記固定金具に固定される水平調整金具と、上記水平可動金具と上記水平調整金具に接続されており、カメラの画角調整時に回されると、上記水平可動金具を水平方向に回動させる第１のターンバックルと、上記水平可動金具に設けられた第1の長穴と、上記水平調整金具に設けられた第２の長穴と、第1及び第2の長穴を貫通し、上記固定金具にネジ止めされる第1のネジと、上記カメラを保持しているカメラマウントが取り付けられている垂直可動金具と、上記水平可動金具と上記垂直可動金具の間に挿入され、上記水平可動金具に固定される垂直調整金具と、上記垂直調整金具に設けられた第３の長穴と、上記垂直可動金具に設けられた第４の長穴と、第３及び第４の長穴を貫通し、上記水平可動金具にネジ止めされる第2のネジと、上記垂直可動金具と上記垂直調整金具に接続されており、上記カメラの画角調整時に回されると、上記垂直可動金具を垂直方向に回動させる第２のターンバックルと、を備えたものである。
【発明の効果】
【０００８】
この発明によれば、固定金具と水平可動金具の間に挿入され、上記固定金具に固定される水平調整金具と、上記水平可動金具と上記水平調整金具に接続されており、カメラの画角調整時に回されると、上記水平可動金具を水平方向に回動させる第１のターンバックルと、上記水平可動金具に設けられた第1の長穴と、上記水平調整金具に設けられた第２の長穴と、第1及び第2の長穴を貫通し、上記固定金具にネジ止めされる第1のネジと、上記カメラを保持しているカメラマウントが取り付けられている垂直可動金具と、上記水平可動金具と上記垂直可動金具の間に挿入され、上記水平可動金具に固定される垂直調整金具と、上記垂直調整金具に設けられた第３の長穴と、上記垂直可動金具に設けられた第４の長穴と、第３及び第４の長穴を貫通し、上記水平可動金具にネジ止めされる第2のネジと、上記垂直可動金具と上記垂直調整金具に接続されており、上記カメラの画角調整時に回されると、上記垂直可動金具を垂直方向に回動させる第２のターンバックルと、を備えるように構成したので、カメラの位置が安定している状態で、カメラの画角を微調整することができるとともに、短時間でカメラの画角を大きく変更することができる効果がある。
【発明を実施するための最良の形態】
【０００９】
実施の形態１．
図１はこの発明の実施の形態１によるカメラ取付装置を示す側面図であり、図２はこの発明の実施の形態１によるカメラ取付装置の水平方向調整に関する部分を示す分解図である。
また、図３はこの発明の実施の形態１によるカメラ取付装置の垂直方向調整に関する部分を示す分解図である。
【００１０】
図１〜３において、カメラ取付装置は監視カメラ１を取り付けている。
固定金具２は設置場所にネジ止めされる。
水平可動金具３はネジ９によって固定金具２に固定されている。
水平調整金具４は固定金具２と水平可動金具３の間に挿入され、ネジ９，１０によって固定金具２に固定されている。
垂直可動金具５は監視カメラ１を保持しているカメラマウント２３が取り付けられており、ネジ１１によって水平可動金具３に固定されている。
垂直調整金具６は水平可動金具３と垂直可動金具５の間に挿入され、ネジ１１，１２によって水平可動金具３に固定されている。
【００１１】
第１のターンバックルであるターンバックル７は水平可動金具３のターンバックル固定部１４と水平調整金具４のターンバックル固定部１３とに接続されており、監視カメラ１の画角調整時に回されると、水平可動金具３を水平方向に回動させる。
第２のターンバックルであるターンバックル８は垂直可動金具５のターンバックル固定部３６と垂直調整金具６のターンバックル固定部３７とに接続されており、監視カメラ１の画角調整時に回されると、垂直可動金具５を垂直方向に回動させる。
【００１２】
ネジ９は水平固定金具２、水平可動金具３及び水平調整金具４を固定する接続部材である。
ネジ１０は水平固定金具２及び水平調整金具４を固定する接続部材である。
ネジ１１は水平可動金具３、垂直可動金具５及び垂直調整金具６を固定する接続部材である。
ネジ１２は水平可動金具３及び垂直調整金具６を固定する接続部材である。
ターンバックル固定部１３はターンバックル７を支持している水平調整金具４の支持部材である。
ターンバックル固定部１４はターンバックル７を支持している水平可動金具３の支持部材である。
【００１３】
ネジ挿入穴１５はネジ９が挿入される長穴であり、この長穴の範囲で水平可動金具３が回動することができるようにしている。
ネジ挿入穴１６はネジ１０が挿入される長穴であり、この長穴の範囲で水平可動金具３及び水平調整金具４が一体で回動することができるようにしている。
ネジ挿入穴１７はネジ９が挿入される長穴であり、この長穴の範囲で水平可動金具３が回動することができるようにしている。
ネジ挿入穴１８はネジ１０が挿入される長穴であり、この長穴の範囲で水平可動金具３及び水平調整金具４が一体で回動することができるようにしている。
ただし、ネジ挿入穴１８はネジ１０のネジ頭より大きいので、ネジ１０が水平可動金具３を固定することなく、水平調整金具４のネジ挿入穴１６を通して、水平固定金具２に取り付けることで、水平固定金具２と水平調整金具４を固定している。
【００１４】
ネジ挿入穴１９はネジ１１が挿入される長穴であり、この長穴の範囲で垂直可動金具５が回動することができるようにしている。
ネジ挿入穴２０はネジ１２が挿入される長穴であり、この長穴の範囲で垂直可動金具５及び垂直調整金具６が一体で回動することができるようにしている。
ネジ挿入穴２１はネジ１１が挿入される長穴であり、この長穴の範囲で垂直可動金具５が回動することができるようにしている。
ネジ挿入部２２はネジ１２のネジ頭より大きく形成されており、ネジ１２が垂直可動金具５を固定することなく、垂直調整金具６のネジ挿入穴２０を通して、水平可動金具３に取り付けることで、水平可動金具３と垂直調整金具６を固定している。
【００１５】
カメラマウント２３は垂直可動金具５に取り付けられており、監視カメラ１を保持している。
ターンバックル固定部３６はターンバックル８を支持している垂直可動金具５の支持部材である。
ターンバックル固定部３７はターンバックル７を支持している垂直調整金具６の支持部材である。
【００１６】
最初に、水平方向の画角の調整について説明する。
水平可動金具３及び水平調整金具４は、図２に示すように、ネジ９が水平可動金具３のネジ挿入穴１７及び水平調整金具４のネジ挿入穴１５を通されることにより、水平固定金具２に取り付けられて固定される。
このとき、ネジ挿入穴１５，１７は長穴になっており、この長穴の範囲で水平可動金具３は回動することができる。
【００１７】
水平可動金具３には、ネジ１０を通すネジ挿入穴１８が形成されているが、水平可動金具３のネジ挿入穴１８がネジ１０のネジ頭より大きいサイズで形成されているので、ネジ１０によって水平可動金具３が水平固定金具２及び水平調整金具４と固定されることがない。
なお、水平調整金具４は、ネジ１０が水平調整金具４のネジ挿入穴１６を通されることにより、水平固定金具２に取り付けられて固定される。
このとき、ネジ挿入穴１６は長穴になっており、この長穴の範囲で水平調整金具４は回動することができる。
【００１８】
ターンバックル７は、水平可動金具３のターンバックル固定部１４と水平調整金具４のターンバックル固定部１３とに接続されている。
このため、ネジ９を緩めて、ターンバックル７を回せば、水平可動金具３を水平方向に回動させることができる。
また、ネジ９とネジ１０を緩めれば、水平可動金具３と水平調整金具４を一体的に手動によって水平方向に回動させることができる。
したがって、監視カメラ１の画角を微調整する場合、ネジ９を緩めて、ターンバックル７を回せば、水平可動金具３と水平調整金具４の位置関係が変わり、画角の水平方向の微調整を行うことができる。
監視カメラ１の画角を大きく変更する場合、ネジ９の他にネジ１０も緩めて、水平可動金具３と水平調整金具４を一体的に回動させれば、監視カメラ１又はカメラ取付装置が直接動かされるため、水平方向の大きな画角変更を行うことができる。
【００１９】
次に、垂直方向の画角の調整について説明する。
垂直可動金具５及び垂直調整金具６は、図３に示すように、ネジ１１が垂直可動金具５のネジ挿入穴２１及び垂直調整金具６のネジ挿入穴１９を通されることにより、水平可動金具３に取り付けられて固定される。
このとき、ネジ挿入穴１９，２１は長穴になっており、この長穴の範囲で垂直可動金具５は回動することができる。
【００２０】
垂直可動金具５には、ネジ１２を通すネジ挿入部２２が形成されているが、ネジ挿入部２２がネジ１２のネジ頭より大きいサイズで形成されているので、ネジ１２によって垂直可動金具５が水平可動金具３及び垂直調整金具６と固定されることがない。
なお、垂直調整金具６は、ネジ１２が垂直調整金具６のネジ挿入穴２０を通されることにより、水平可動金具３に取り付けられて固定される。
このとき、ネジ挿入穴２０は長穴になっており、この長穴の範囲で垂直調整金具６は回動することができる。
【００２１】
ターンバックル８は、垂直可動金具５のターンバックル固定部３６と垂直調整金具６のターンバックル固定部３７とに接続されている。
このため、ネジ１１を緩めて、ターンバックル８を回せば、垂直可動金具５を垂直方向に回動させることができる。
また、ネジ１１とネジ１２を緩めれば、垂直可動金具５と垂直調整金具６を一体的に手動によって垂直方向に回動させることができる。
したがって、監視カメラ１の画角を微調整する場合、ネジ１１を緩めて、ターンバックル８を回せば、垂直可動金具５と垂直調整金具６の位置関係が変わり、画角の垂直方向の微調整を行うことができる。
監視カメラ１の画角を大きく変更する場合、ネジ１１の他にネジ１２も緩めれば、垂直可動金具５と垂直調整金具６を一体的に回動させることができるため、垂直方向の大きな画角変更を行うことができる。
【００２２】
ここまでは、水平方向と垂直方向の画角調整を別々に行うものについて示したが、ネジ９，１１を緩めて、ターンバックル７，８を回せば、水平方向と垂直方向の画角の微調整を一緒に行うことができる。
また、ネジ９，１１の他にネジ１０，１２も緩めれば、水平方向と垂直方向の大きな画角調整を一緒に行うことができる。
【００２３】
以上で明らかなように、この実施の形態１によれば、水平可動金具３と水平調整金具４に接続されており、監視カメラ１の画角調整時に回されると、その水平可動金具３を水平方向に回動させるターンバックル７と、垂直可動金具５と垂直調整金具６に接続されており、監視カメラ１の画角調整時に回されると、その垂直可動金具５を垂直方向に回動させるターンバックル８とを設けるように構成したので、監視カメラ１の位置が安定している状態で、監視カメラ１の画角を微調整することができるとともに、短時間で監視カメラ１の画角を大きく変更することができる効果を奏する。
【００２４】
実施の形態２．
図４はこの発明の実施の形態２によるカメラ取付装置を示す側面図であり、図において、図１と同一符号は同一または相当部分を示すので説明を省略する。
光軸調整金具２４は垂直可動金具５とカメラマウント２３の間に挿入され、ネジ２６，２７によって垂直可動金具５に固定されている。
第３のターンバックルであるターンバックル２５は光軸調整金具２４とカメラマウント２３に接続されており、監視カメラ１の画角調整時に回されると、カメラマウント２３を光軸方向に回動させる。
【００２５】
ネジ２６は垂直可動金具５、カメラマウント２３及び光軸調整金具２４を固定する接続部材である。
ネジ２７は垂直可動金具５及び光軸調整金具２４を固定する接続部材である。
軸３８は垂直可動金具５から出ている軸であり、カメラマウント２３及び光軸調整金具２４を貫通している。
【００２６】
光軸方向の画角の調整について説明する。
水平方向及び垂直方向の調整機構部分と同様の構造で、カメラマウント２３及び光軸方向調整金具２４は、ネジ２６，２７がネジ挿入穴を通されることにより、垂直可動金具５に取り付けられて固定される。
このとき、ネジ挿入穴は長穴になっており、この長穴の範囲で軸３８を中心にカメラマウント２３は回動することができる。
カメラマウント２３には、ネジ２７を通すネジ挿入穴が形成されているが、そのネジ挿入穴がネジ２７のネジ頭より大きいサイズで形成されているので、ネジ２７によってカメラマウント２３が光軸方向調整金具２４及び垂直可動金具５と固定されることがない。
【００２７】
ターンバックル２５は、光軸調整金具２４とカメラマウント２３に接続されている。
このため、ネジ２６を緩めて、ターンバックル２５を回せば、カメラマウント２３を光軸方向に回動させることができる。
また、ネジ２６とネジ２７を緩めれば、カメラマウント２３と光軸調整金具２４を一体的に手動によって光軸方向に回動させることができる。
したがって、監視カメラ１の画角を微調整する場合、ネジ２６を緩めて、ターンバックル２５を回せば、カメラマウント２３と光軸調整金具２４の位置関係が変わり、画角の光軸方向の微調整を行うことができる。
監視カメラ１の画角を大きく変更する場合、ネジ２６の他にネジ２７も緩めれば、カメラマウント２３と光軸調整金具２４を一体的に回動させることができるため、光軸方向の大きな画角変更を行うことができる。
【００２８】
ここまでは、光軸方向の画角調整を行うものについて示したが、ネジ９，１１，２６を緩めて、ターンバックル７，８，２５を回せば、水平方向、垂直方向及び光軸方向の画角の微調整を一緒に行うことができる。
また、ネジ９，１１，２６の他にネジ１０，１２，２７も緩めれば、水平方向、垂直方向及び光軸方向の大きな画角調整を一緒に行うことができる。
【図面の簡単な説明】
【００２９】
【図１】この発明の実施の形態１によるカメラ取付装置を示す側面図である。
【図２】この発明の実施の形態１によるカメラ取付装置の水平方向調整に関する部分を示す分解図である。
【図３】この発明の実施の形態１によるカメラ取付装置の垂直方向調整に関する部分を示す分解図である。
【図４】この発明の実施の形態２によるカメラ取付装置を示す側面図である。
【符号の説明】
【００３０】
１  監視カメラ、２  固定金具、３  水平可動金具、４  水平調整金具、５  垂直可動金具、６  垂直調整金具、７  ターンバックル（第１のターンバックル）、８  ターンバックル（第２のターンバックル）、９，１０，１１，１２  ネジ、１３，１４，３６，３７  ターンバックル固定部、１５，１６，１７，１８，１９，２０，２１，２２  ネジ挿入穴、２３  カメラマウント、２４  光軸調整金具、２５  ターンバックル（第３のターンバックル）、２６，２７  ネジ、３８  軸。
【図１】
0004937091.tif 000002
【図２】
0004937091.tif 000003
【図３】
0004937091.tif 000004
【図４】
0004937091.tif 000005